(57)【要約】      （修正有）【課題】回転表示スクリーンか回転表示パネルに基づいて体積３Ｄディスプレイの解像度を高める。【解決手段】複数のセクションにＳＬＭの表示面積を分ける。各セクションは表示空間の別の体積の区域に対応する。表示空間にそれにより複数の区域がある。特定のセクションから投影されるイメージフレームは対応する区域内の体積３Ｄイメージの部分を形作る。区域の位置は表示平面の回転の軸線に関して距離に従って置かれる。内部区域は軸線に近い方にあり、外の区域は軸線にはほど遠い。方法は反復的な、周期的な順序でセクションにデータに１つのセクションを一度に書く。セクションのイメージはまた反復的、周期的である対応する順序で表示される。ライト順序はより頻繁に内部セクションに外セクションおよびより少しに頻繁に書く。より多くのセクションフレームは外の区域に配られ、より少ないセクションフレームは内部区域に配られる。【選択図】図３
2009015271.tif 000002
【特許請求の範囲】
【請求項１】
体積３Ｄディスプレイに一般に均一フレームの配分の構造を提供する方法であって、前記体積３Ｄディスプレイが回転表示平面を含んでいる、前記表示平面が軸線のまわりで回り、表示体積を掃引する、前記表示平面が表示パネルをまたは空間的な光変調器から投影されるイメージの媒体含んでいる、前記方法は、
（１）表示体積を前記軸線への間隔に従って複数の区域に分け、前記軸線に近い方の区域が内部区域であり、前記軸線に遠くにの区域が外の区域であるステップ、
（２）前記表示パネルまたは前記空間的な光変調器の表示区域の複数のセクションを定義するステップであって、各々の前記セクションがそれぞれ前記区域の１つに対応する、内部区域に対応するセクションが内部セクションであり、外の区域に対応するセクションが外セクションである前記ステップ、
（３）表示されるべきイメージデータを前記セクションに反復的な、周期のライト順序の１つのセクション一度に書くステップであって、前記ライト順序が頻繁に前記内部セクションにより前記外セクションに書く前記ステップ、
（４）ステップ（３）と同時に、前記セクションのイメージが前記ライト順序に対応する表示順序で表示されるステップ、
を含む前記方法。
【請求項２】
前述区域の分割のステップが３つの区域を定義し、前述セクションの定義のステップが３つのセクションを定義し、
前記表示パネルか空間的な光変調器が次の特徴を含んでいる：
（ｉ）データ．ライトが表示パネルの上または表示パネルの底から始まり、
（ｉｉ）データ．ライトがあらゆるセクションの端に停止し、次に表示パネルの上か底から再始動することができる、
請求項１記載の方法。
【請求項３】
前記３つのセクションが表示体積の中央一部分の区域２対応するセクション２、および表示体積の外側の区域１、区域３対応するセクション１、セクション３を含み、
前記ライト順序は前記３つのセクションにデータ．ライトの以下の順を含んでいる：
セクション１、セクション２、セクション３、
セクション１、セクション３、セクション１、
セクション３、セクション２、セクション１、
セクション３、セクション１、セクション３、
セクション１、セクション２、セクション３、
セクション１、セクション３、セクション１、
請求項２記載の方法。
【請求項４】
前記表示パネルか空間的な光変調器がランダムな順序のあらゆる前記セクションにデータ．ライトを可能にするために機能を含んでいる、
請求項１記載の方法。
【請求項５】
前記表示パネルか空間的な光変調器がランダムな順序の各々の前記セクションのあらゆる列にデータ．ライトを可能にするために機能をさらに含んでいる、
請求項４記載の方法。
【請求項６】
前記表示パネルか空間的な光変調器がランダムな順序の各々の前記な列のあらゆるワードにデータ．ライトを可能にするために機能をさらに含んでいる、
請求項５記載の方法。
【請求項７】
前記表示平面がスクリーンを含み、前記空間的な光変調器からのイメージは光学プロジェクショソのステップによって前記スクリーンに表示され、
前記空間的な光変調器の表示区域の複数の色のサブパネルの定義のステップ、および別の原色の光を持つ各々の前記色のサブパネルの照明のステップがさらに含まれている、請求項１記載の方法。
【請求項８】
各々の前記セクションが前記色のサブパネルの１の内に置く、請求項７記載の方法。
【請求項９】
前記空間的な光変調器がランダムな順序のあらゆる前記セクションにデータ．ライトを可能にするために機能を含んでいる、請求項８記載の方法。
【請求項１０】
前記な光学プロジェクショソのステップが異なった前記色のサブパネルからのイメージを重ねることのステップが含まれ、前記な光学プロジェクショソのステップが更に
（ｉ）投影されたイメージを第１のイメージおよび第２イメージへの光学的に裂くことのステップであって、前記第１イメージおよび第２イメージが両方中心線で分けられる左の部分および右の部分を含んでいる前記ステップ、
（ｉｉ）前記第２イメージを光学的に引っくり返すことのステップ、
（ｉｉｉ）違った見方の比率の新しいイメージフレームを形作る前記第１イメージの右の部分とともに引っくり返した前記第２イメージの左の部分光学的にステッチのステップ、含まれている、
請求項８記載の方法。
【請求項１１】
体積３Ｄイメージを表示するためのシステムであって、
（１）イメージのプロジェクショソの単元、
（２）共通の軸線のまわりで回る半透明スクリーン、
（３）不変投影されたイメージのサイズ、オリエンテーションおよび焦点を保っている間前述回転スクリーンに前記イメージのプロジェクショソの単元から投影される光学イメージを中継で送るインターフェイスの単元、
（４）ビーム分裂の反射器そして回転スクリーンとの同時性の前記共通の軸線について回るミラーのセットであって、前記ビーム分裂の反射器が透過の部分および反射の部分に前記インターフェイスの単元からの投影された光学イメージを裂き、前記ミラーのセットが前記共通の軸線に関してスクリーンの左の半分の部品に前記透過の部分、およびプロジェクトにスクリーンの反対側からの前記スクリーンの右の半分の部品に前記反射の部分を導き、前記透過の部分の投影されたイメージの１部および前記反射の部分の投影されたイメージの他の部分が完全なイメージフレームになるために一緒にステッチする、
を包含する前記システム。
【請求項１２】
前記イメージプロジェクター単元が少なくとも１つの空間的な光変調器を含み、前記空間的な光変調器が複数のサブパネルを含み、前記サブパネルの各自が別の原色によって照らされる、前記イメージプロジェクターが更に組み変えの光学を含み、前記組み変えの光学は重ねられたイメージフレームに前記サブパネルのイメージを重ねる、請求項１１記載のシステム。
【請求項１３】
前記表示体積が２つの半分円柱体積の各自の８つの同心の区域に分けられ、前記表示パネルまたは空間的な光変調器が２の各自の半分表示区域と８つのセクションを定義される、
前記８つのセクションがセクション１からセクション８を含み、前記セクション１からセクション８が区域１から区域８を対応し、前記区域１から区域８が表示体積の外の地域から内部の地域への数順序に従って配られる、
前記ライト順序は前記８つのセクションにデータ．ライトの以下の順を含んでいる：
セクション１、セクション２、セクション３、セクション４、
セクション１、セクション２、セクション５、セクション６、
セクション１、セクション２、セクション３、セクション４、
セクション１、セクション２、セクション５、セクション７、
セクション１、セクション２、セクション３、セクション４、
セクション１、セクション２、セクション５、セクション６、
セクション３、セクション４、セクション１、セクション２、
セクション７、セクション８、セクション５、セクション６、
請求項４記載の方法。
【請求項１４】
前記表示体積が２つの半分円柱体積の各自の３つの同心の区域に分けられ、前記表示パネルまたは空間的な光変調器が２の各自の半分表示区域と３つのセクションを定義される、
前記３つのセクションがセクション１からセクション３を含み、前記セクション１からセクション３が区域１から区域８を対応し、前記区域１から区域３が表示体積の外の地域から内部の地域への数順序に従って配られる、
前記ライト順序は前記３つのセクションにデータ．ライトの以下の順を含んでいる：
セクション３、セクション１、セクション２、
セクション１、セクション２、セクション１、
請求項４記載の方法。
【発明の詳細な説明】
【０００１】      本発明は本出願人に次の特許および出願に関連している：
米国特許出願公開２００６−００１２５９８−Ａ１、
日本特許出願２００６−３３０３３、
米国特許５，７５４，１４７、
米国特許５，９５４，４１４、
米国特許６，３０２，５４２Ｂ１、
米国特許６，７６５，５６６Ｂ１、
米国特許６，９６１，０４５Ｂ２、
米国特許出願公開２００５−０２８０６０５−Ａ１、
日本特許出願３６１０９０／９９（國内特許出願通知２０００／２０１３６２）、
日本特許出願２００１／３１８１８９（國内特許出願通知２００２／２６８１３６）、
日本特許出願２００２／１７５３７９（國内特許出願通知２００３／１０７３９９）、
日本特許出願２００５／３８０９３８。
出願人は上記の文書を本件に引用文献として取り入れている。
【技術分野】
【０００２】      本発明は体積３Ｄディスプレイの分野に一般に関連している。とりわけ、それは回転表示スクリーンか回転表示パネルに基づいて体積３Ｄディスプレイの増加の解像度にデータ．ライト方法に関連している。
【背景技術】
【０００３】      体積３Ｄ（Ｖ３Ｄ）ディスプレイの１つの部門はスクリーンを動かすことと体積を掃引するためにスクリーンの２Ｄイメージを投影することによってＶ３Ｄのイメージを発生させる。Ｖ３Ｄのイメージは残像の効果によって掃引された体積でこうして形作る。一般に、スクリーンは回転動きか往復動きを有することができる。【０００４】      回転スクリーンのアプローチでは、一般に、スクリーンは軸線について回り、軸線は平行に、スクリーンの表面を通る。図１０［Ａ］はＴｓａｏ米国特許６，７６５，５６６からの例を説明する。それは３つの大部分を有する：回転スクリーンの部分１３３０、高いフレーム率のイメージの投影システム１３１０、そして光学インターフェイス機構１３２０。光学的インタフェース機構１３２０は、イメージ・プロジェクタから投影された光学的イメージを表示用スクリーン上へ中継するが、一方スクリーンが回転するとき、投影されたイメージのサイズ、向き及び焦点を不変に保つ。好適な光学的インタフェース機構は、スクリーンの半分の速度で回転する光学的イメージ回転装置である。図１０［Ｂ］は光学インターフェイス機構として光学回転裝置の例を説明する。スクリーンの部分はスクリーン１３３１、中央反射器１３３２およびすべてが共通の軸線１０００についての同時性で回すサイドリフレクター１３３３から成り立つ。投射経路はプロジェクター１３１０からインターフェイス機構１３２０に、次に中央反射器に、次にサイドリフレクター１３３３に、次にスクリーン１３３１にある。このタイプのＶ３Ｄディスプレイの付加的な記述はで見つけることができる：Ｔｓａｏ米国特許５，７５４，１４７、米国特許５，９５４，４１４、米国特許６，３０２，５４２Ｂ１。【０００５】      別の部門は移動表示パネルを使用する。移動表示パネルは残像の効果によって体積３Ｄイメージを形作るために空間の２Ｄイメージのフレームを配る。例えば、Ｂｅｒｌｉｎ米国特許４，１６０，９７３は円柱表示体積を掃引する回転ＬＥＤのパネルが付いているシステムを記述する。別の例のため、Ｔｓａｏの日本特許出願Ｐ２００２−２６８１３６Ａは「回転式往復運動の」表示パネルが付いているシステムを記述する。【０００６】      まだ別の部門は「蛍光性の段階的な刺激」（または一般に呼ばれた「２−ｓｔ刺激」）の特性を持っている材料の体積を使用する。例はＫｏｒｅｖａａｒ米国特許４，８８１，０６８およびＤｏｗｎｉｎｇ他、Ｓｃｉｅｎｃｅ、１９９６年８月３０日、Ｖｏｌ．２７３、ｐ．１１８５含まれている。【０００７】      上記の例では、好まれたイメージの源はＤＭＤ（デジタルマイクロミラー装置）またはＦＬＣＤ（Ｆｅｒｒｏｅｌｅｃｔｒｉｃの液晶表示装置）のような空間的な光変調器（ＳＬＭ）である。これらは白黒ピクセルの装置である。色のイメージを表示するため、３つはＳＬＭｓ、別の原色の光によって照らされるそれぞれ使用することができる。代わりに、Ｔｓａｏ米国特許６，９６１，０４５は（また日本特許出願通知２００３／１０７３９９で）色を発生させるのに単一ＳＬＭを使用する方法を記述する。単一ＳＬＭは３のサブパネルに分けられる。各サブパネルは別の原色の光によって照らされる。３のサブパネルのイメージはプロジェクショソの１にそれから組み変えられる。【０００８】      一般に、ＳＬＭづかせていたＶ３Ｄディスプレイで、スクリーンの動きの方に解像度はＳＬＭのフレーム率によって限られる。但し、Ｔｓａｏ米国特許６，７６５，５６６（日本特許出願通知２０００−２０１３６２）はＳＬＭの有効なフレーム率を高めることができる「サブフレーム方法」を記述する。最初に、方法は色の調整装置で時間領域の３つのサブフレームにプロジェクターから各色のイメージフレームを分ける。色の調整装置は照明の源でまたは投影レンズの後で色を調整する。各サブフレームに別の原色がある。Ｔｓａｏ米国特許６，９６１，０４５（また日本特許出願通知２００３／１０７３９９）の場合には、ＳＬＭはサブパネルと定義される。サブフレームの分離は各サブパネルへの照明の調整によって達成される。いつでも、１のサブパネルだけ短いある一定の時間だけの間照らされる。そして、３台のそのようなプロジェクターからの投影されたイメージは重ねられる。いつでも、重ねられたイメージフレームは３つのサブフレームを含んでいる。各サブフレームに別のプロジェクターから来、別の原色がある。更に、Ｔｓａｏ米国特許出願公開２００６−００１２５９８−Ａ１は（また日本特許出願２００６−３３０３３で）ＳＬＭの異なったサブパネルを直接調整することによってサブフレームを発生させるデータ．ライト方法を記述する。この方法は光源調節が出力色の切換えを必要としない。３つの原色が使用されれば、サブフレームの使用は約３倍までにプロジェクターの有効なフレーム率を高める。
【発明の開示】
【発明が解決しようとする課題】
【０００９】      この発明の目的は回転表示スクリーンが回転表示パネルに基づいて体積３Ｄディスプレイの解像度を高めることである。一般に、フレームのプロジェクショソによるフレームはスクリーンの動きの道に沿うフレームを配る。各フレーム、かサブフレームは表示空間を渡って、切れる。回転スクリーンの場合には、スクリーンの動きの道は曲がる。フレームの配分は外の地域のより表示空間の中央地域の高い解像度を与える。この発明の目的はまたこのフレームの配分の構造を改良することである。
【課題を解決するための手段】
【００１０】      この発明はＶ３Ｄディスプレイ、回転表示平面に基づいて特にそれらの解像度を増進するためにデータライトのプロシージャを記述する。【００１１】      この発明の方法は複数のセクションにＳＬＭ（または回転表示パネル）の表示面積を分ける。表示されたとき、各セクションは表示空間の別の体積の区域に対応する。表示空間にそれにより複数の区域がある。特定のセクションから投影されるイメージフレームは対応する区域内の体積３Ｄイメージの部分を形作る。セクションから投影されるイメージフレームはそれによりセクションフレームと呼ばれる。区域の位置は表示平面の回転の軸線に関して距離に従って置かれる。内部区域は軸線に近い方にあり、外の区域は軸線にはほど遠い。方法は反復的な、周期的な順序でセクションにデータに１つのセクションを一度に書く。セクションのイメージはまた反復的、周期的である対応する順序で表示される。ライト順序はより頻繁に内部セクションに外セクションおよびより少しに頻繁に書く。従って、より多くのセクションフレームは外の区域に配られ、より少ないセクションフレームは内部区域に配られる。その結果、セクションフレームの配分は表示空間の維持された大体均一である場合もある。
【発明を実施するための最良の形態】
【００１２】      Ｔｓａｏ米国特許出願公開２００６−００１２５９８−Ａ１は（また日本特許出願２００６−３３０３３で）ある特定の機能特徴とのＳＬＭｓに適用することができるデータ．ライト方法を記述する。ＳＬＭの表示面積が複数のセクションに分けられるとき、このデータ．ライト方法に一つずつ個々のセクションに書く機能がある。個々のセクションは他のセクションブランクを保っている間表示された一つずつである場合もある。これは照明調節または出力色の切換えの必要性なしで時間領域の異なったセクションのイメージの分離を、可能にする。【００１３】      この発明はこのデータ．ライト方法の同じ原則を適用する。一般に、この発明の方法は次のステップが含まれている：【００１４】      （１）ＳＬＭのピクセルを複数のグループに分け、セクションと各グループを定義しなさい。移動スクリーンに投影されたとき、各セクションは表示空間の体積の区域を形作る。表示空間にそれによりいくつかの区域が、ＳＬＭの別のセクションに対応するそれぞれある。特定のセクションから投影されるイメージフレームは対応する区域内の体積３Ｄイメージの部分を形作る。セクションから投影されるイメージフレームはそれによりセクションフレームと呼ばれる。【００１５】      （２）データ．ライトの順序をセクションに定め、各区域のセクションフレームの位置を定めなさい。制限状態はデータ．ライトが２つ以上の異なったセクションに同時に作ることができないことである。目的は表示空間のフレームセクションをできるだけ均等に配ることである。これはフレームセクションの位置がスクリーンの動きの方向に沿う解像度を定めるのである。【００１６】      （３）ステップ（２）から定められるセクションフレームの構造に従って表示されるべき３Ｄイメージのスライスによって、各区域で表示されるべき各セクションフレームのデータを計算しなさい。【００１７】      （４）セクションフレームのデータを各セクションにステップ（２）からのデータ．ライトの順序に従って書き、セクションフレームの位置に従ってセクションフレームのイメージを表示しなさい。【００１８】      回転スクリーンによって形作られる表示体積では内部の円柱空間は内部区域と定義することができる。それが中心の軸線に近い方にあるので内部区域により少ないセクションフレームがある。外の管状の空間は外の区域と定義することができる。外の区域はより多くのセクションフレームが解像度を増進することを必要とする。イメージの送達機構（すなわち光学インターフェイスの単元１３２０）の使用のために、スクリーンが回ると同時にスクリーンに関する投影されたイメージフレームのオリエンテーションは変わらない。その結果、内部セクションは内部区域に投影し、外セクションは外の区域に投影することができる。イメージの送達機構なしで、この区域へのセクションのマッピングはスクリーンが回るとき投影されたイメージフレームがスクリーンに関して回るので、不可能である。【００１９】      例えば、図１［Ａ］は定義して３つのセクションをもらうＳＬＭ１０１を説明する。セクションはＳＬＭの別のおよび隔離された地域で定義される。色を表示するためには、Ｒ、ＧおよびＢ「サブパネル」は図１［Ｂ］と定義される。Ｔｓａｏ米国特許６，９６１，０４５で記述されている方法によって３のサブパネルのイメージは光学的に組み変えられ、重ねることができる。その結果、重ねられたフレームにＳＬＭと別のアスペクトレシオがあり、３つのセクションからのイメージを含んでいる。図１［Ｃ］は重ねられたイメージを説明する。重ねられたイメージが回転スクリーン１３３１に投影されるとき、各セクションは１つの区域に対応する。図２で示されているように、中央区域２は中央セクション２に対応する。区域１および３はセクション１および３にそれぞれ対応する。【００２０】      フレーム・バッファ・メモリのＳＬＭが使用されると仮定しなさい。ＳＬＭがフレーム・バッファで保たれるデータを表示する別の「ディスプレイ」命令を使用するとまた仮定しなさい。図３［Ａ］は「通常」ライト順序の時間に関してフレーム・バッファの内容を説明する。すなわち、セクション１、２および３は３０１−３０２−３０３で示されているように順序に、繰り返し書かれる。図３［Ｂ］は生じられた光学出力、すなわち表示順序を説明する。各セクションフレームの時間の持続期間は同じ、Ｔｆである。図３［Ｃ］は生じられたフレームの構造（表示体積の平面図）を説明する。各フレームの空間的な「厚さ」は異なった区域でかなり均一でない。【００２１】      図３［Ｄ］−［Ｆ］はこの発明に従って増進された解像度の好まれたデータ・ライト順序、対応する画像表示順序および生じられたフレームの配分の構造の第一の例を説明する。図３［Ｄ］は好まれたデータ．ライト順序を説明する。一般に、私達は中央セクション（セクション２）に外セクションより頻繁により少しを書く。長方形、例えば３０１ｄおよび３０２ｄは、データ．ライトを示す。長方形の中の数はライトの順序を示す。縦の矢、例えば３２０は、「ディスプレイ命令」を示す。全順序は６Ｔｆの周期を過す。図３［Ｅ］は生じられた光学出力、すなわち表示順序を説明する。長方形の中の数は図３ｄからのライト順序の対応する数を示す。例えば、セクション１およびセクション２は３０１ｄおよび３０２ｄによって示されているように最初書かれていて、である。それからディスプレイ命令３２０は出される。それに応じて、３０１ｅおよび３０２ｅによって示されている、同時に表示するべきセクション１およびセクション２開始のイメージ。しかしセクション２がより少しを頻繁に書かれているので、セクション２の１つのイメージはセクション１のイメージより長く持続する。図３［Ｆ］は生じられたフレームの構造を説明した。一般に、区域２のフレームの総数は１／２ｘの要因によって減る。外の区域のフレームの総数は１．５ｘの要因によって高められる。フレームの「厚さ」は図３［Ｃ］より均一である。【００２２】      働く図３［Ｄ］の好まれたライト順序のために、ＳＬＭは好まれた順序でセクションにデータ．ライトを可能にしなければならない。一般に、それはＳＬＭの各セクションが任意にに書くことができれば最も好まれて。但し、その任意性のレベルは必要常にでない。図３［Ｄ］のライト順序を達成するため、ＳＬＭの次の特徴を許可する必要性だけ：【００２３】      （１）２方向のライト：データはＳＬＭの上から書くことができたりまたはＳＬＭの底から書くことができる。セクションのライト順序は両方とも１−２−３および３−２−１行うことができる。【００２４】      （２）セクションの端にライトを停止し、次にＳＬＭ１０１の上１０７かＳＬＭの底１０８からライトを始めること：すなわち、セクションの順にライト図３［Ｄ］に要求されるセクション１−３かセクション３−１。【００２５】      これらの機能があるＳＬＭの典型的な例は商業的に利用できるテキサス・インスツルメント（Ｔｅｘａｓ  Ｉｎｓｔｒｕｍｅｎｔｓ）のＤｉｓｃｏｖｅｒｙ  １１００  ＤＭＤシステムである。それはまたフレーム・バッファを有し、別のディスプレイ命令を使用する。Ｔｓａｏ米国特許出願公開２００６−００１２５９８−Ａ１は（また日本特許出願２００６−３３０３３で）はこの装置の操作そして命令の詳細な例を記述する。【００２６】      図４は別の例を示す。ＳＬＭが１６のセクションに分けられると仮定しなさい。セクションおよび区域の構造は対称的である。従って８つのセクションだけデッサンで描写される。従って表示体積に２つの半分円柱体積の各自で８つの同心の区域がある。【００２７】      図４［Ａ］は「通常の」ライト順序を説明する。規則的なフレームの持続期間はＴｆである。図４［Ｂ］は４Ｔｆの期限の生じられたフレームの構造（表示体積の平面図）を説明する。【００２８】      図４［Ｃ］はこの発明によって１つの好まれたライト順序を説明する。長方形の中の数はライト順序を示す。再度、私達は頻繁に外セクションを内部セクションより書く。図４［Ｄ］は生じられた光学出力、すなわち表示順序を説明する。再度、長方形の中の数は図４［Ｃ］からのライト順序の対応する数を示す。図４［Ｅ］は生じられたフレームの構造を説明した。図４［Ｅ］のフレームの「厚さ」はより均一である。外の区域のフレームの総数はほとんど倍増する。この例では、色のサブパネルの構造は図１［Ｂ］のそれに類似する。すなわち、これは単一ＳＬＭ色プロジェクターシステムである。【００２９】      この例では、ＳＬＭがフレーム・バッファを備え、別のディスプレイ命令を使用することがまだ仮定される。しかし働く図４［Ｃ］の好まれたライト順序のためにＳＬＭは好まれた順序でセクションにデータ・ライトを可能にしなければならない。これはあらゆるランダムな順序のセクションにほぼライトの機能を要求する。実際に、そのようなＳＬＭの１つの典型的な例はテキサス、インスツルメントのＤｉｓｃｏｖｅｒｙ  ３０００  ＤＭＤシステムである。それはこの出願の時にプロトタイプを設計する状態にある。それはあらゆる列に実際にデータ．ライトを任意に可能にする。【００３０】      一般に、上記の例は単一ＳＬＭのプロジェクターシステムに適用する。色を表示するためには、１つのＳＬＭは３の色のサブパネルを使用できる。代わりに、私達は３をＳＬＭｓ、別の原色によって照らされるそれぞれ使用してもいい。【００３１】      ３つＳＬＭｓが（３台の単一ＳＬＭプロジェクターで使用される）使用される時約３倍までに有効なフレーム率を高めるために、「サブフレーム方法」は適用することができる。記述する前によ��に、Ｔｓａｏ米国特許６，７６５，５６６および６，９６１，０４５は照明調節に光源で基づいてか、またはプロジェクショソの出力の色の切換えに基づいてサブフレーム方法を記述する。【００３２】      代わりに、Ｔｓａｏ米国米国特許出願公開２００６−００１２５９８−Ａ１は（また日本特許出願２００６−３３０３３で）は源の調節または外面色の切換え装置を必要としない「サブフレーム方法」を記述する。このアプローチでは直接光学サブフレームを発生させるために出力を調整するのに、ＳＬＭが使用されている。従って、このアプローチによって、この発明で定義されるセクションは色のサブパネルの内で定義されなければならない。図５はこの状態のための例を説明する。Ｒ、ＧおよびＢのサブパネルはＳＬＭの別のおよび隔離された地域と定義される。各サブパネルの中では、セクションは更に定義される。この例では、働くセクションライトの方法のためにＳＬＭはあらゆるランダムな順序のセクションにライトを可能にしなければならない。あらゆる任意の列にデータ・ライトを可能にするＳＬＭはテキサス・インスツルメントのＤｉｓｃｏｖｅｒｙ  ３０００システムのような、使用することができる。そのようなシステムの使用の１つの実用的な問題はデータが列によって書かれていなければならないので、サブパネルは完全なパネルの長側面に沿う彼らの長側面と定義されなければならないことである。図５は状態を説明する。その結果、重ねられたサブフレームは図６［Ａ］で示されているように非常に高いアスペクトレシオを、有することができる。これは非好ましい場合もある。【００３３】      解決は重ねられたサブフレームを２つの半分に切り、次にアスペクトレシオを変えるためにそれらを並んでステッチすることである。最初に、重ねられたサブフレームのイメージは２つのイメージａおよびｂに光学的に裂ける、図６［Ｂ］で示されている。２つの割れたイメージの各自は中心線で分けられる左の部分および右の部分、例えばａ−Ｌおよびａ−Ｒ、を含んでいる。２つのイメージの１つはそれから引っくり返ったある、図６［Ｃ］のａｆによって示される。２つのイメージ、ａｆおよびｂは、それから並んで再調整される新しいステッチされたフレーム（ｂ−Ｒとａｆ−Ｌ、例えば）を形作るためにある、図６［Ｄ］で示されている。開口絞り（アパーチュアストップ）がサブフレームの不必要な半分を遮るのに使用されている。図５はセクションと区域間のマッピングの関係を説明する。イメージの１つが引っくり返ったあるので、私達は内部区域（区域１）を形作るためにセクション１を一緒にステッチできる。同じ理由によって、中間の地域の区域２をセクション２は対応し、外の地域の区域３をセクション３は対応する。サブパネルの内容はこの幾何学的な定義をそれに応じて反映するために当然プログラムされるべきである。【００３４】      図７［Ａ］（透視図）および図７［Ｂ］（平面図）は好まれた光学組み立てを説明する。７５０はイメージのオリエンテーションを示すためのマーカーである。中心の反射器７３２Ａはインターフェイスの単元１３２０から投影されたイメージフレームを受け取り、ビーム分裂の反射器７３０に送る。ビーム分裂の反射器は２本の道に投射経路を裂く。透過道は７３０から反射器７３２Ｂおよび７３３Ａに、そしてと半透明スクリーンの左の部分１３３１Ｌにある。反射道は７３０から反射器７３３Ｂに、そしてとスクリーンの右の部分１３３１Ｒにある。２本の道が反対側からのスクリーンに達するので、２つのイメージの１つは１の側面から見られたとき引っくり返った現われる。【００３５】      私達がワードのレベルで（すなわち、列より小さい単位）ＳＬＭに任意にデータを書いてもいければ、アスペクトレシオは制限要因でない。私達は私達が望むようにＲ、ＧおよびＢのサブパネルを示してもいい。私達は必要とされるに応じて各サブパネルのセクションを定義してもいい。図８は例を説明する。ＳＬＭは３の色のサブパネルを備えるために定義される：Ｒ、ＧおよびＢ。各サブパネルに６つのセクションがある。例えば、ＲのサブパネルにＲ１、Ｒ２．．．Ｒ６がセクションある。データは１８のセクションの何れかに任意に書くことができる。【００３６】      前例でこの発明を記述するのにＳＬＭ、特にＤＭＤが、使用されているがこの発明はＳＬＭｓを使用して体積３Ｄディスプレイに限られない。データ・ライトの方法はまたＬＥＤｓ（発光ダイオード）またはＯＬＥＤ（有機性ＬＥＤ表示）のような移動表示パネルを使用して体積３Ｄディスプレイに、適用する。この場合、移動ディスプレイのセクションは表示体積の中の区域に直接対応する。【００３７】      さらに、別のディスプレイ命令を用いるフレーム・バッファが前例で仮定されるが、これは必要条件でない。図９は別のディスプレイ命令の効果、またこの発明に従って移動表示パネルのセクションの構造の例を説明する。表示パネル９０１は６つのセクションに分かれている。従って、表示体積に図９［Ａ］で示されているように６つの同心の区域、２つの半分円柱体積の各自の３つの区域がある。セクションおよび区域の構造は対称的である。従って３つのセクションだけデッサンで描写される。図９［Ｂ］はこの発明によって好まれたデータ．ライト順序を説明する。表示パネルにフレーム・バッファがおよび使用すれば別のディスプレイ命令をあれば、表示順序は図９［Ｃ］のように見える。これは前例に基本的に類似している。但し表示パネルに別のディスプレイ命令がないし、データが一度表示されて書かれていればなら、そして表示順序図９［Ｄ］のように見える。主な違いは次のとおりである：（１）各セクションフレームのタイミングは図９［Ｃ］のそれとわずかに異なっている；そして（２）はそこに次のセクションフレームが付いているセクションに重ね書きするために必要な時間の２つの連続的なセクションフレーム間のより長い過渡期９４０である。しかし私達はまだ内部区域と比べて外の区域のより多くのセクションフレームを、得る。
【図面の簡単な説明】
【図１０】［Ａ］従来の光学インターフェイスの単元が付いている回転スクリーンに基づいて体積３Ｄディスプレイを示す。［Ｂ］従来の光学インターフェイスの単元の例を示す。
【図１】本発明に従って単一ＳＬＭのパネルのセクションの構造の第一の例を示す。
【図２】図１によってセクション構造に従って表示体積の表示の区域の構造を示す。
【図３】［Ａ］−［Ｃ］従来のデータ・ライト順序、対応する画像表示順序および生じられたフレームの配分の構造の第一の例を示す。［Ｄ］−［Ｆ］本発明に従って増進された解像度の好まれたデータ・ライト順序、対応する画像表示順序および生じられたフレームの配分の構造の第一の例を示す。
【図４】［Ａ］−［Ｂ］従来のデータ・ライト順序および生じられたフレームの配分構造の第２例を示す。［Ｃ］−［Ｅ］本発明に従って増進された解像度の好まれたデータ・ライト順序、対応する画像表示順序および生じられたフレームの配分の構造の第２の例を示す。
【図５】本発明に従って単一ＳＬＭのパネルのセクションの構造およびセクションと表示の区域間のマッピングの第２例を示す。
【図６】本発明に投影されたサブフレームのアスペクトレシオを変更する方法を示す。
【図７】図６の修正方法のための光学組み立ての例を示す。
【図８】本発明に従って単一ＳＬＭのパネルのセクションの構造の第３例を示す。
【図９】本発明従って移動表示パネルのセクションの構造そして別のディスプレイ命令の効果の例を示す。
【符号の説明】
１００、１０１        ＳＬＭか表示パネル
１０００              中心の軸線
１３１０              投影システム
１３２０              光学インターフェイス機構
１３３０              回転スクリーンの部分
１３３１、１３３１Ｒ、１３３１Ｌ      スクリーン
２０１、９０１        表示体積
３０１、３０２、３０３、３０１ｄ、３０２ｄ、３０１ｃ      セクションへデータ．ライト順序を示すこと
３０１ｅ、３０２ｅ    セクションの表示順序の指摘
３２０                表示命令の発行の指摘
７３０                ビーム分裂の反射器
７３２Ａ              中心の反射器
７３２Ｂ、７３３Ａ、７３３Ｂ      反射器
７５０                マーカー
【図１０】
2009015271.tif 000003
【図１】
2009015271.tif 000004
【図２】
2009015271.tif 000005
【図３】
2009015271.tif 000006
2009015271.tif 000007
【図４】
2009015271.tif 000008
2009015271.tif 000009
【図５】
2009015271.tif 000010
【図６】
2009015271.tif 000011
【図７】
2009015271.tif 000012
【図８】
2009015271.tif 000013
【図９】
2009015271.tif 000014
2009015271.tif 000015
【手続補正書】
【提出日】平成19年10月3日(2007.10.3)
【手続補正２】
【補正対象書類名】図面
【補正対象項目名】全図
【補正方法】変更
【補正の内容】
【図１】
2009015271.tif 000016
【図２】
2009015271.tif 000017
【図３】
2009015271.tif 000018
【図４】
2009015271.tif 000019
【図５】
2009015271.tif 000020
【図６】
2009015271.tif 000021
【図７】
2009015271.tif 000022
【図８】
2009015271.tif 000023
【図９】
2009015271.tif 000024
【図１０】
2009015271.tif 000025
【手続補正３】
【補正対象書類名】明細書
【補正対象項目名】全文
【補正方法】変更
【補正の内容】
【発明の詳細な説明】
【０００１】      本発明は本出願人に次の特許および出願に関連している：
米国特許出願公開２００６−００１２５９８−Ａ１、
日本特許出願２００６−３３０３３、
米国特許５，７５４，１４７、
米国特許５，９５４，４１４、
米国特許６，３０２，５４２Ｂ１、
米国特許６，７６５，５６６Ｂ１、
米国特許６，９６１，０４５Ｂ２、
米国特許出願公開２００５−０２８０６０５−Ａ１、
日本特許出願３６１０９０／９９（國内特許出願通知２０００／２０１３６２）、
日本特許出願２００１／３１８１８９（國内特許出願通知２００２／２６８１３６）、
日本特許出願２００２／１７５３７９（國内特許出願通知２００３／１０７３９９）、
日本特許出願２００５／３８０９３８。
出願人は上記の文書を本件に引用文献として取り入れている。
【技術分野】
【０００２】      本発明は体積３Ｄディスプレイの分野に一般に関連している。とりわけ、それは回転表示スクリーンか回転表示パネルに基づいて体積３Ｄディスプレイの増加の解像度にデータ．ライト方法に関連している。
【背景技術】
【０００３】      体積３Ｄ（Ｖ３Ｄ）ディスプレイの１つの部門はスクリーンを動かすことと体積を掃引するためにスクリーンの２Ｄイメージを投影することによってＶ３Ｄのイメージを発生させる。Ｖ３Ｄのイメージは残像の効果によって掃引された体積でこうして形作る。一般に、スクリーンは回転動きか往復動きを有することができる。【０００４】      回転スクリーンのアプローチでは、一般に、スクリーンは軸線について回り、軸線は平行に、スクリーンの表面を通る。図１０［Ａ］はＴｓａｏ米国特許６，７６５，５６６からの例を説明する。それは３つの大部分を有する：回転スクリーンの部分１３３０、高いフレーム率のイメージの投影システム１３１０、そして光学インターフェイス機構１３２０。光学的インタフェース機構１３２０は、イメージ・プロジェクタから投影された光学的イメージを表示用スクリーン上へ中継するが、一方スクリーンが回転するとき、投影されたイメージのサイズ、向き及び焦点を不変に保つ。好適な光学的インタフェース機構は、スクリーンの半分の速度で回転する光学的イメージ回転装置である。図１０［Ｂ］は光学インターフェイス機構として光学回転装置の例を説明する。スクリーンの部分はスクリーン１３３１、中央反射器１３３２およびすべてが共通の軸線１０００についての同時性で回すサイドリフレクター１３３３から成り立つ。投射経路はプロジェクター１３１０からインターフェイス機構１３２０に、次に中央反射器に、次にサイドリフレクター１３３３に、次にスクリーン１３３１にある。このタイプのＶ３Ｄディスプレイの付加的な記述はで見つけることができる：Ｔｓａｏ米国特許５，７５４，１４７、米国特許５，９５４，４１４、米国特許６，３０２，５４２Ｂ１。【０００５】      別の部門は移動表示パネルを使用する。移動表示パネルは残像の効果によって体積３Ｄイメージを形作るために空間の２Ｄイメージのフレームを配る。例えば、Ｂｅｒｌｉｎ米国特許４，１６０，９７３は円柱表示体積を掃引する回転ＬＥＤのパネルが付いているシステムを記述する。別の例のため、Ｔｓａｏの日本特許出願Ｐ２００２−２６８１３６Ａは「回転式往復運動の」表示パネルが付いているシステムを記述する。【０００６】      まだ別の部門は「蛍光性の段階的な刺激」（または一般に呼ばれた「２−ｓｔａｇｅ刺激」）の特性を持っている材料の体積を使用する。例はＫｏｒｅｖａａｒ米国特許４，８８１，０６８および  Ｄｏｗｎｉｎｇ他、Ｓｃｉｅｎｃｅ、１９９６年８月３０日、Ｖｏｌ．２７３、ｐ．１１８５含まれている。【０００７】      上記の例では、好まれたイメージの源はＤＭＤ（デジタルマイクロミラー装置）またはＦＬＣＤ（Ｆｅｒｒｏｅｌｅｃｔｒｉｃの液晶表示装置）のような空間的な光変調器（ＳＬＭ）である。これらは白黒ピクセルの装置である。色のイメージを表示するため、３つはＳＬＭｓ、別の原色の光によって照らされるそれぞれ使用することができる。代わりに、Ｔｓａｏ米国特許６，９６１，０４５は（また日本特許出願通知２００３／１０７３９９で）色を発生させるのに単一ＳＬＭを使用する方法を記述する。単一ＳＬＭは３のサブパネルに分けられる。各サブパネルは別の原色の光によって照らされ���。３のサブパネルのイメージはプロジェクショソの１にそれから組み変えられる。【０００８】      一般に、ＳＬＭ基づかせていたＶ３Ｄディスプレイで、スクリーンの動きの方に解像度はＳＬＭのフレーム率によって限られる。但し、Ｔｓａｏ米国特許６，７６５，５６６（日本特許出願通知２０００−２０１３６２）はＳＬＭの有効なフレーム率を高めることができる「サブフレーム方法」を記述する。最初に、方法は色の調整装置で時間領域の３つのサブフレームにプロジェクターから各色のイメージフレームを分ける。色の調整装置は照明の源でまたは投影レンズの後で色を調整する。各サブフレームに別の原色がある。Ｔｓａｏ米国特許６，９６１，０４５（また日本特許出願通知２００３／１０７３９９）の場合には、ＳＬＭはサブパネルと定義される。サブフレームの分離は各サブパネルへの照明の調整によって達成される。いつでも、１のサブパネルだけ短いある一定の時間だけの間照らされる。そして、３台のそのようなプロジェクターからの投影されたイメージは重ねられる。いつでも、重ねられたイメージフレームは３つのサブフレームを含んでいる。各サブフレームに別のプロジェクターから来、別の原色がある。更に、Ｔｓａｏ米国特許出願公開２００６−００１２５９８−Ａ１は（また日本特許出願２００６−３３０３３で）ＳＬＭの異なったサブパネルを直接調整することによってサブフレームを発生させるデータ．ライト方法を記述する。この方法は光源調節か出力色の切換えを必要としない。３つの原色が使用されれば、サブフレームの使用は約３倍までにプロジェクターの有効なフレーム率を高める。
【発明の開示】
【発明が解決しようとする課題】
【０００９】      この発明の目的は回転表示スクリーンか回転表示パネルに基づいて体積３Ｄディスプレイの解像度を高めることである。一般に、フレームのプロジェクショソによるフレームはスクリーンの動きの道に沿うフレームを配る。各フレーム、かサブフレームは表示空間を渡って、切れる。回転スクリーンの場合には、スクリーンの動きの道は曲がる。フレームの配分は外の地域のより表示空間の中央地域の高い解像度を与える。この発明の目的はまたこのフレームの配分の構造を改良することである。
【課題を解決するための手段】
【００１０】      この発明はＶ３Ｄディスプレイ、回転表示平面に基づいて特にそれらの解像度を増進するためにデータライトのプロシージャを記述する。【００１１】      この発明の方法は複数のセクションにＳＬＭ（または回転表示パネル）の表示面積を分ける。表示されたとき、各セクションは表示空間の別の体積の区域に対応する。表示空間にそれにより複数の区域がある。特定のセクションから投影されるイメージフレームは対応する区域内の体積３Ｄイメージの部分を形作る。セクションから投影されるイメージフレームはそれによりセクションフレームと呼ばれる。区域の位置は表示平面の回転の軸線に関して距離に従って置かれる。内部区域は軸線に近い方にあり、外の区域は軸線にはほど遠い。方法は反復的な、周期的な順序でセクションにデータに１つのセクションを一度に書く。セクションのイメージはまた反復的、周期的である対応する順序で表示される。ライト順序はより頻繁に内部セクションに外セクションおよびより少しに頻繁に書く。従って、より多くのセクションフレームは外の区域に配られ、より少ないセクションフレームは内部区域に配られる。その結果、セクションフレームの配分は表示空間の維持された大体均一である場合もある。
【発明を実施するための最良の形態】
【００１２】      Ｔｓａｏ米国特許出願公開２００６−００１２５９８−Ａ１は（また日本特許出願２００６−３３０３３で）ある特定の機能特徴とのＳＬＭｓに適用することができるデータ．ライト方法を記述する。ＳＬＭの表示面積が複数のセクションに分けられるとき、このデータ．ライト方法に一つずつ個々のセクションに書く機能がある。個々のセクションは他のセクションブランクを保っている間表示された一つずつである場合もある。これは照明調節または出力色の切換えの必要性なしで時間領域の異なったセクションのイメージの分離を、可能にする。【００１３】      この発明はこのデータ．ライト方法の同じ原則を適用する。一般に、この発明の方法は次のステップが含まれている：【００１４】      （１）ＳＬＭのピクセルを複数のグループに分け、セクションと各グループを定義しなさい。移動スクリーンに投影されたとき、各セクションは表示空間の体積の区域を形作る。表示空間にそれによりいくつかの区域が、ＳＬＭの別のセクションに対応するそれぞれある。特定のセクションから投影されるイメージフレームは対応する区域内の体積３Ｄイメージの部分を形作る。セクションから投影されるイメージフレームはそれによりセクションフレームと呼ばれる。【００１５】      （２）データ．ライトの順序をセクションに定め、各区域のセクションフレームの位置を定めなさい。制限状態はデータ．ライトが２つ以上の異なったセクションに同時に作ることができないことである。目的は表示空間のフレームセクションをできるだけ均等に配ることである。これはフレームセクションの位置がスクリーンの動きの方向に沿う解像度を定めるのである。【００１６】      （３）ステップ（２）から定められるセクションフレームの構造に従って表示されるべき３Ｄイメージのスライスによって、各区域で表示されるべき各セクションフレームのデータを計算しなさい。【００１７】      （４）セクションフレームのデータを各セクションにステップ（２）からのデータ．ライトの順序に従って書き、セクションフレームの位置に従ってセクションフレームのイメージを表示しなさい。【００１８】      回転スクリーンによって形作られる表示体積では内部の円柱空間は内部区域と定義することができる。それが中心の軸線に近い方にあるので内部区域により少ないセクションフレームがある。外の管状の空間は外の区域と定義することができる。外の区域はより多くのセクションフレームが解像度を増進することを必要とする。イメージの送達機構（すなわち光学インターフェイスの単元１３２０）の使用のために、スクリーンが回ると同時にスクリーンに関する投影されたイメージフレームのオリエンテーションは変わらない。その結果、内部セクションは内部区域に投影し、外セクションは外の区域に投影することができる。イメージの送達機構なしで、この区域へのセクションのマッピングはスクリーンが回るとき投影されたイメージフレームがスクリーンに関して回るので、不可能である。【００１９】      例えば、図１［Ａ］は定義して３つのセクションをもらうＳＬＭ１０１を説明する。セクションはＳＬＭの別のおよび隔離された地域で定義される。色を表示するためには、Ｒ、ＧおよびＢ「サブパネル」は図１［Ｂ］と定義される。Ｔｓａｏ米国特許６，９６１，０４５で記述されている方法によって３のサブパネルのイメージは光学的に組み変えられ、重ねることができる。その結果、重ねられたフレームにＳＬＭと別のアスペクトレシオがあり、３つのセクションからのイメージを含んでいる。図１［Ｃ］は重ねられたイメージを説明する。重ねられたイメージが回転スクリーン１３３１に投影されるとき、各セクションは１つの区域に対応する。図２で示されているように、中央区域２は中央セクション２に対応する。区域１および３はセクション１および３にそれぞれ対応する。【００２０】      フレーム・バッファ・メモリのＳＬＭが使用されると仮定しなさい。ＳＬＭがフレーム・バッファで保たれるデータを表示する別の「ディスプレイ」命令を使用するとまた仮定しなさい。図３［Ａ］は「通常」ライト順序の時間に関してフレーム・バッファの内容を説明する。すなわち、セクション１、２および３は３０１−３０２−３０３で示されているように順序に、繰り返し書かれる。図３［Ｂ］は生じられた光学出力、すなわち表示順序を説明する。各セクションフレームの時間の持続期間は同じ、Ｔｆである。図３［Ｃ］は生じられたフレームの構造（表示体積の平面図）を説明する。各フレームの空間的な「厚さ」は異なった区域でかなり均一でない。【００２１】      図３［Ｄ］−［Ｆ］はこの発明に従って増進された解像度の好まれたデータ・ライト順序、対応する画像表示順序および生じられたフレームの配分の構造の第一の例を説明する。図３［Ｄ］は好まれたデータ．ライト順序を説明する。一般に、私達は中央セクション（セクション２）に外セクションより頻繁により少しを書く。長方形、例えば３０１ｄおよび３０２ｄは、データ．ライトを示す。長方形の中の数はライトの順序を示す。縦の矢、例えば３２０は、「ディスプレイ命令」を示す。全順序は６Ｔｆの周期を過す。図３［Ｅ］は生じられた光学出力、すなわち表示順序を説明する。長方形の中の数は図３ｄからのライト順序の対応する数を示す。例えば、セクション１およびセクション２は３０１ｄおよび３０２ｄによって示されているように最初書かれていて、である。それからディスプレイ命令３２０は出される。それに応じて、３０１ｅおよび３０２ｅによって示されている、同時に表示するべきセクション１およびセクション２開始のイメージ。しかしセクション２がより少しを頻繁に書かれているので、セクション２の１つのイメージはセクション１のイメージより長く持続する。図３［Ｆ］は生じられたフレームの構造を説明した。一般に、区域２のフレームの総数は１／２ｘの要因によって減る。外の区域のフレームの総数は１．５ｘの要因によって高められる。フレームの「厚さ」は図３［Ｃ］より均一である。【００２２】      働く図３［Ｄ］の好まれたライト順序のために、ＳＬＭは好まれた順序でセクションにデータ．ライトを可能にしなければならない。一般に、それはＳＬＭの各セクションが任意にに書くことができれば最も好まれて。但し、その任意性のレベルは必要常にでない。図３［Ｄ］のライト順序を達成するため、ＳＬＭの次の特徴を許可する必要性だけ：【００２３】      （１）２方向のライト：データはＳＬＭの上から書くことができたりまたはＳＬＭの底から書くことができる。セクションのライト順序は両方とも１−２−３および３−２−１行うことができる。【００２４】      （２）セクションの端にライトを停止し、次にＳＬＭ１０１の上１０７かＳＬＭの底１０８からライトを始めること：すなわち、セクションの順にライト図３［Ｄ］に要求されるセクション１−３かセクション３−１。【００２５】      これらの機能があるＳＬＭの典型的な例は商業的に利用できるテキサス・インスツルメント（Ｔｅｘａｓ  Ｉｎｓｔｒｕｍｅｎｔｓ）のＤｉｓｃｏｖｅｒｙ  １１００  ＤＭＤシステムである。それはまたフレーム・バッファを有し、別のディスプレイ命令を使用する。Ｔｓａｏ米国特許出願公開２００６−００１２５９８−Ａ１は（また日本特許出願２００６−３３０３３で）はこの装置の操作そして命令の詳細な例を記述する。【００２６】      図４は別の例を示す。ＳＬＭが１６のセクションに分けられると仮定しなさい。セクションおよび区域の構造は対称的である。従って８つのセクションだけデッサンで描写される。従って表示体積に２つの半分円柱体積の各自で８つの同心の区域がある。【００２７】      図４［Ａ］は「通常の」ライト順序を説明する。規則的なフレームの持続期間はＴｆである。図４［Ｂ］は４Ｔｆの期限の生じられたフレームの構造（表示体積の平面図）を説明する。【００２８】      図４［Ｃ］はこの発明によって１つの好まれたライト順序を説明する。長方形の中の数はライト順序を示す。再度、私達は頻繁に外セクションを内部セクションより書く。図４［Ｄ］は生じられた光学出力、すなわち表示順序を説明する。再度、長方形の中の数は図４［Ｃ］からのライト順序の対応する数を示す。図４［Ｅ］は生じられたフレームの構造を説明した。図４［Ｅ］のフレームの「厚さ」はより均一である。外の区域のフレームの総数はほとんど倍増する。この例では、色のサブパネルの構造は図１［Ｂ］のそれに類似する。すなわち、これは単一ＳＬＭ色プロジェクターシステムである。【００２９】      この例では、ＳＬＭがフレーム・バッファを備え、別のディスプレイ命令を使用することがまだ仮定される。しかし働く図４［Ｃ］の好まれたライト順序のためにＳＬＭは好まれた順序でセクションにデータ・ライトを可能にしなければならない。これはあらゆるランダムな順序のセクションにほぼライトの機能を要求する。実際に、そのようなＳＬＭの１つの典型的な例はテキサス・インスツルメントのＤｉｓｃｏｖｅｒｙ  ３０００  ＤＭＤシステムである。  それはこの出願の時にプロトタイプを設計する状態にある。それはあらゆる列に実際にデータ．ライトを任意に可能にする。【００３０】      一般に、上記の例は単一ＳＬＭのプロジェクターシステムに適用する。色を表示するためには、１つのＳＬＭは３の色のサブパネルを使用できる。代わりに、私達は３をＳＬＭｓ、別の原色によって照らされるそれぞれ使用してもいい。【００３１】      ３つＳＬＭｓが（３台の単一ＳＬＭブロジェクターで使用される）使用される時約３倍までに有効なフレーム率を高めるために、「サブフレーム方法」は適用することができる。記述する前にように、Ｔｓａｏ米国特許６，７６５，５６６および６，９６１，０４５は照明調節に光源で基づいてか、またはプロジェクショソの出力の色の切換えに基づいてサブフレーム方法を記述する。【００３２】      代わりに、Ｔｓａｏ米国米国特許出願公開２００６−００１２５９８−Ａ１は（また日本特許出願２００６−３３０３３で）は源の調節または外面色の切換え装置を必要としない「サブフレーム方法」を記述する。このアプローチでは直接光学サブフレームを発生させるために出力を調整するのに、ＳＬＭが使用されている。従って、このアプローチによって、この発明で定義されるセクションは色のサブパネルの内で定義されなければならない。図５はこの状態のための例を説明する。Ｒ、ＧおよびＢのサブパネルはＳＬＭの別のおよび隔離された地域と定義される。各サブパネルの中では、セクションは更に定義される。この例では、働くセクションライトの方法のためにＳＬＭはあらゆるランダムな順序のセクションにライトを可能にしなければならない。あらゆる任意の列にデータ・ライトを可能にするＳＬＭはテキサス・インスツルメントのＤｉｓｃｏｖｅｒｙ  ３０００システムのような、使用することができる。そのようなシステムの使用の１つの実用的な問題はデータが列によって書かれていなければならないので、サブパネルは完全なパネルの長側面に沿う彼らの長側面と定義されなければならないことである。図５は状態を説明する。その結果、重ねられたサブフレームは図６［Ａ］で示されているように非常に高いアスペクトレシオを、有することができる。これは非好ましい場合もある。【００３３】      解決は重ねられたサブフレームを２つの半分に切り、次にアスペクトレシオを変えるためにそれらを並んでステッチすることである。最初に、重ねられたサブフレームのイメージは２つのイメージａおよびｂに光学的に裂ける、図６［Ｂ］で示されている。２つの割れたイメージの各自は中心線で分けられる左の部分および右の部分、例えばａ−Ｌおよびａ−Ｒ、を含んでいる。２つのイメージの１つはそれから引っくり返ったある、図６［Ｃ］のａｆによって示される。２つのイメージ、ａｆおよびｂは、それから並んで再調整される新しいステッチされたフレーム（ｂ−Ｒとａｆ−Ｌ、例えば）を形作るためにある、図６［Ｄ］で示されている。開口絞り（アパーチュアストップ）がサブフレームの不必要な半分を遮るのに使用されている。図５はセクションと区域間のマッピングの関係を説明する。イメージの１つが引っくり返ったあるので、私達は内部区域（区域１）を形作るためにセクション１を一緒にステッチできる。同じ理由によって、中間の地域の区域２をセクション２は対応し、外の地域の区域３をセクション３は対応する。サブパネルの内容はこの幾何学的な定義をそれに応じて反映するために当然プログラムされるべきである。【００３４】      図７［Ａ］（透視図）および図７［Ｂ］（平面図）は好まれた光学組み立てを説明する。７５０はイメージのオリエンテーションを示すためのマーカーである。中心の反射器７３２Ａはインターフェイスの単元１３２０から投影されたイメージフレームを受け取り、ビーム分裂の反射器７３０に送る。ビーム分裂の反射器は２���の道に投射経路を裂く。透過道は７３０から反射器７３２Ｂおよび７３３Ａに、そしてと半透明スクリーンの左の部分１３３１Ｌにある。反射道は７３０から反射器７３３Ｂに、そしてとスクリーンの右の部分１３３１Ｒにある。２本の道が反対側からのスクリーンに達するので、２つのイメージの１つは１の側面から見られたとき引っくり返った現われる。【００３５】      私達がワードのレベルで（すなわち、列より小さい単位）ＳＬＭに任意にデータを書いてもいければ、アスペクトレシオは制限要因でない。私達は私達が望むようにＲ、ＧおよびＢのサブパネルを示してもいい。私達は必要とされるに応じて各サブパネルのセクションを定義してもいい。図８は例を説明する。ＳＬＭは３の色のサブパネルを備えるために定義される：Ｒ、ＧおよびＢ。各サブパネルに６つのセクションがある。例えば、ＲのサブパネルにＲ１、Ｒ２、．．．Ｒ６がセクションある。データは１８のセクションの何れかに任意に書くことができる。【００３６】      前例でこの発明を記述するのにＳＬＭ、特にＤＭＤが、使用されているがこの発明はＳＬＭｓを使用して体積３Ｄディスプレイに限られない。データ・ライトの方法はまたＬＥＤｓ（発光ダイオード）またはＯＬＥＤ（有機性ＬＥＤ表示）のような移動表示パネルを使用して体積３Ｄディスプレイに、適用する。この場合、移動ディスプレイのセクションは表示体積の中の区域に直接対応する。【００３７】      さらに、別のディスプレイ命令を用いるフレーム・バッファが前例で仮定されるが、これは必要条件でない。図９は別のディスプレイ命令の効果、またこの発明に従って移動表示パネルのセクションの構造の例を説明する。表示パネル９０１は６つのセクションに分かれている。従って、表示体積に図９［Ａ］で示されているように６つの同心の区域、２つの半分円柱体積の各自の３つの区域がある。セクションおよび区域の構造は対称的である。従って３つのセクションだけデッサンで描写される。図９［Ｂ］はこの発明によって好まれたデータ．ライト順序を説明する。表示パネルにフレーム・バッファがおよび使用すれば別のディスプレイ命令をあれば、表示順序は図９［Ｃ］のように見える。これは前例に基本的に類似している。但し表示パネルに別のディスプレイ命令がないし、データが一度表示されて書かれていればなら、そして表示順序図９［Ｄ］のように見える。主な違いは次のとおりである：（１）各セクションフレームのタイミングは図９［Ｃ］のそれとわずかに異なっている；そして（２）はそこに次のセクションフレームが付いているセクションに重ね書きするために必要な時間の２つの連続的なセクションフレーム間のより長い過渡期９４０である。しかし私達はまだ内部区域と比べて外の区域のより多くのセクションフレームを、得る。
【図面の簡単な説明】
【００３８】
【図１】      本発明に従って単一ＳＬＭのパネルのセクションの構造の第一の例を示す。
【図２】      図１によってセクション構造に従って表示体積の表示の区域の構造を示す。
【図３】      ［Ａ］−［Ｃ］従来のデータ・ライト順序、対応する画像表示順序および生じられたフレームの配分の構造の第一の例を示す。［Ｄ］−［Ｆ］本発明に従って増進された解像度の好まれたデータ・ライト順序、対応する画像表示順序および生じられたフレームの配分の構造の第一の例を示す。
【図４】      ［Ａ］−［Ｂ］従来のデータ・ライト順序および生じられたフレームの配分構造の第２例を示す。［Ｃ］−［Ｅ］本発明に従って増進された解像度の好まれたデータ・ライト順序、対応する画像表示順序および生じられたフレームの配分の構造の第２の例を示す。
【図５】      本発明に従って単一ＳＬＭのパネルのセクションの構造およびセクションと表示の区域間のマッピングの第２例を示す。
【図６】      本発明に投影されたサブフレームのアスペクトレシオを変更する方法を示す。
【図７】      図６の修正方法のための光学組み立ての例を示す。
【図８】      本発明に従って単一ＳＬＭのパネルのセクションの構造の第３例を示す。
【図９】      本発明従って移動表示パネルのセクションの構造そして別のディスプレイ命令の効果の例を示す。
【図１０】      ［Ａ］従来の光学インターフェイスの単元が付いている回転スクリーンに基づいて体積３Ｄディスプレイを示す。［Ｂ］従来の光学インターフェイスの単元の例を示す。
【符号の説明】
１００、１０１      ＳＬＭか表示パネル
１０００            中心の軸線
１３１０            投影システム
１３２０            光学インターフェイス機構
１３３０            回転スクリーンの部分
１３３１、１３３１Ｒ、１３３１Ｌ  スクリーン
２０１、９０１      表示体積
３０１、３０２、３０３、３０１ｄ、３０２ｄ、３０１ｃ  セクションへデータ．ライト順序を示すこと
３０１ｅ、３０２ｅ  セクションの表示順序の指摘
３２０              表示命令の発行の指摘
７３０              ビーム分裂の反射器
７３２Ａ            中心の反射器
７３２Ｂ、７３３Ａ、７３３Ｂ  反射器
７５０              マーカー